(57)【特許請求の範囲】
【請求項１】
情報データを担う情報ピットが形成されるべき情報記録トラックと、前記情報記録トラックに関連する情報を担うプリピットが前記情報記録トラック間に繰り返し形成された記録面を有する光記録媒体のＡＲ測定装置であって、
前記トラックの接線方向に沿う方向の分割線によって第１及び第２受光面として分割された受光面を有し、前記記録面に照射された光ビームの反射光を前記第１及び第２受光面で受光して前記第１及び第２受光面各々の受光量に応じた第１及び第２光検出信号を出力する光検出手段と、
前記光検出手段から出力された前記第１及び第２光検出信号の差を算出してプッシュプル信号を生成する減算手段と、
前記プッシュプル信号を所定期間に亘ってサンプリングしてサンプルデータを収集し、前記所定期間のサンプリングを複数回数繰り返す収集手段と、
前記収集手段によって収集された前記複数回数分のサンプルデータのうちのプリピット位置時点のデータ値各々が所定回数以上生じたか否かを判別する頻度判別手段と、
前記所定回数以上生じた前記プリピット位置時点のデータ値のうちの前記プリピットに対応した最小値と最大値との比をＡＲの値として算出するＡＲ算出手段と、を備えたことを特徴とするＡＲ測定装置。
【請求項２】
前記所定回数は、前記複数回数の半分以上の回数であることを特徴とする請求項１記載のＡＲ測定装置。
【請求項３】
前記頻度判別手段は、前記複数回数に対する前記プリピット位置時点のデータ値各々の頻度を算出し、頻度を前記複数回数で割り算し、その割り算の結果値の小数点以下を四捨五入することにより、前記所定回数以上生じたデータ値を判別することを特徴とする請求項１記載のＡＲ測定装置。
【請求項４】
前記頻度判別手段は、前記サンプルデータが取り得る範囲のデータ値に対応した第１データ列及び第２データ列を各データを全て初期値０として記憶する記憶手段と、前記収集手段から前記プリピット位置時点のデータ値を取り込み、その取り込みデータ値に対応した前記第１データ列のうちのデータを１として前記記憶手段に記憶させるデータ取り込み処理を行い、前記複数回数の１回分のデータ取り込み処理が終了する毎に前記第１データ列の各データ値をそれに対応する前記第２データ列の各データ値に加算して前記第２データ列の各データを前記記憶手段に記憶させるインクリメント処理を行い、その後、前記第１データ列の各データを初期値０として前記複数回数の残りの回数分のデータ取り込み処理を行う手段と、を含み、前記複数回数分の前記インクリメント処理の終了後、前記第２データ列の各データを前記頻度として用いることを特徴とする請求項１又は３記載のＡＲ測定装置。
【請求項５】
前記ＡＲ算出手段は、前記所定回数以上生じた前記プリピット位置時点のデータ値の分布の中でデータ値が存在しない最大範囲を形成する２つのデータ値のうちの大なる方の値を前記プリピットに対応した最小値とすることを特徴とする請求項１記載のＡＲ測定装置。
【請求項６】
情報データを担う情報ピットが形成されるべき情報記録トラックと、前記情報記録トラックに関連する情報を担うプリピットが前記情報記録トラック間に繰り返し形成された記録面を有する光記録媒体のＡＲ測定方法であって、
前記トラックの接線方向に沿う方向の分割線によって第１及び第２受光面として分割された受光面を有し、前記記録面に照射された光ビームの反射光を前記第１及び第２受光面で受光して前記第１及び第２受光面各々の受光量に応じた第１及び第２光検出信号を出力するステップと、
前記第１及び第２光検出信号の差を算出してプッシュプル信号を生成するステップと、
前記プッシュプル信号を所定期間に亘ってサンプリングしてサンプルデータを収集し、前記所定期間のサンプリングを複数回数を繰り返すステップと、
前記複数回数分のサンプルデータのうちのプリピット位置時点のデータ値各々が所定回数以上生じたか否かを判別するステップと、
前記所定回数以上生じた前記プリピット位置時点のデータ値のうちの前記プリピットに対応した最小値と最大値との比をＡＲの値として算出するステップと、を備えたことを特徴とするＡＲ測定方法。
【請求項７】
情報データを担う情報ピットが形成されるべき情報記録トラックと、前記情報記録トラックに関連する情報を担うプリピットが前記情報記録トラック間に繰り返し形成された記録面を有する光記録媒体からプリピットを検出するために、前記記録面に照射された光ビームの反射光を前記トラックの接線方向に沿う方向の分割線によって分割された第１及び第２受光面で受光して前記第１及び第２受光面各々の受光量に応じた第１及び第２光検出信号を出力し、前記第１及び第２光検出信号の差を算出してプッシュプル信号を生成し、前記プッシュプル信号に基づいてＡＲの値を算出するＡＲ測定方法を実行するコンピュータ読取可能なプログラムであって、
前記プッシュプル信号を所定期間に亘ってサンプリングしてサンプルデータを収集し、前記所定期間のサンプリングを複数回数を繰り返すステップと、
前記複数回数分のサンプルデータのうちのプリピット位置時点のデータ値各々が所定回数以上生じたか否かを判別するステップと、
前記所定回数以上生じた前記プリピット位置時点のデータ値のうちの前記プリピットに対応した最小値と最大値との比をＡＲの値として算出するステップと、を有することを特徴とするプログラム。
【発明の詳細な説明】
【０００１】
【発明が属する技術分野】
本発明は、情報記録トラックに関連する情報を担うプリピットが情報記録トラック間に繰り返し形成された記録面を有する光記録媒体のＡＲ(Aperture Ratio)測定装置に関する。
【０００２】
【従来の技術】
現在、情報データの書込が可能な光学式の記録ディスクとして、ＣＤ−Ｒ、ＣＤ−ＲＷ、ＤＶＤ−Ｒ、ＤＶＤ−ＲＷ、ＤＶＤ−ＲＡＭ等が知られている。更に、このような記録ディスクに対して情報データの記録及び再生を行う情報記録再生装置が製品化されてきた。
【０００３】
図１は、上記記録ディスクとしてのＤＶＤ−ＲＷの領域構成を概略的に示す図である。
図１に示すように、ＤＶＤ−ＲＷは、ディスク内周側から外周側に向けて、ＰＣＡ(Power Calibration Area)、ＲＭＡ(Recording Management Area)、リードインエリア、データ、リードアウトエリアからなるデータ構造を有している。ＰＣＡはレーザビームの記録パワーを決定するときの試し書きを行うエリアであり、ＲＭＡは記録に関する管理情報を書き込むエリアである。リードインエリアの一部にはエンボス領域が形成されている。エンボス領域はディスクに予め形成された位相ピットであり、エンボス領域にはコピー防止等に関する情報が記録される場合がある。
【０００４】
図２は、かかる記録可能なディスクの記録面上の一部を示す図である。
図２に示す如く、ディスク基板１０１上には、螺旋状もしくは同心円状に、情報データを担う情報ピットＰtが形成されるべき凸状のグルーブトラック１０３、及び凹状のランドトラック１０２が交互に形成されている。更に、互いに隣接するグルーブトラック１０３間には、複数のＬＰＰ(ランドプリピット)１０４が形成されている。ＬＰＰ１０４は、ディスクレコーダが情報データを記録する際にその記録タイミング及びアドレスを知る為にランドトラック１０２上に予め設けられているものである。
【０００５】
かかるＬＰＰを有する光ディスクを再生するディスクプレーヤにおいては、ＬＰＰ検出回路が備えられている。ＬＰＰ検出回路は、２値化回路から構成され、ピックアップによって光ディスクからの反射ビームを例えば、トラック接線方向に２分割の光検出器で受光し、その光検出器の出力信号の差信号、すなわちラジアルプッシュプル信号ＰＰを得る。プッシュプル信号ＰＰは図３に示すような波形であり、ＬＰＰ成分はそのプッシュプル信号ＰＰから突出した成分となる。よって、そのプッシュプル信号ＰＰのレベルと閾値とを比較することによりＬＰＰの検出を示すプリピット検出信号ＰＰDを生成する。
【０００６】
プリピット検出信号ＰＰDは、ＬＰＰに対応したピックアップの読み取り位置毎に図４に示す如くパルス状にレベル変化が生じる。プリピット検出信号ＰＰD中には図４に示す如く周期Ｔ毎に表れる同期パルスＰSYNCが存在する。同期パルスＰSYNCに続いて２つのプリデータパルスが所定の間隔で存在するが、それらはアドレス等のデータを表すために各周期において常に存在する訳ではない。図４に示すように同期パルスＰSYNCから３番目の位置のパルスがセクタアドレスを担うプリデータパルスＰDである。光ディスクに情報を記録する際にはこのプリピット検出信号ＰＰDに基づいて光ディスクのアドレスを検出して情報の記録が行われる。
【０００７】
ＬＰＰを含む光ディスクの製造メーカにおいては、製造された光ディスクのＬＰＰが規格を満たしたものであることが要求されている。規格を満たした光ディスクであるを判断するためにＡＲ(Aperture Ratio)測定が行われる。ＡＲ測定では、プッシュプル信号ＰＰのＬＰＰ成分（同期用のＬＰＰから３番目のＬＰＰ位置部分）が所定の期間だけ繰り返しサンプリングされる。このサンプリングによって３番目のＬＰＰ部分のプッシュプル信号ＰＰの重複波形、すなわちＡＲ波形が図５に示すように、オシロスコープ等の表示装置に表示される。その表示されたプッシュプル信号ＰＰにおけるグルーブトラック成分の最大値ＷＯmaxからのピーク値の最大値ＡＰmax及び最小値ＡＰminを検出し、ＡＲ値を規格式であるＡＲ＝ＡＰmin／ＡＰmaxの如く算出し、そのＡＲ値が規定値以上であることを確認する必要がある。ＡＲ値が大きいということは２値化可能範囲が広くなり、プリピット検出の検出精度が高いということである。
【０００８】
【発明が解決しようとする課題】
ディスク上にゴミ等の付着物があると、ＡＲ測定の際にＬＰＰ部分のプッシュプル信号ＰＰにノイズとして現れることがある。しかしながら、そのノイズがプッシュプル信号ＰＰのピーク値の最小値ＡＰminを小さくさせるレベルで出現すると、ディスクが規格を満たすものであっても算出されるＡＲ値が規定値に達しないことが生じてしまう。よって、ＡＲ値の適切な算出のためには、付着物による影響をできるだけ排除しなれればならい。
【０００９】
そこで、本発明の目的は、付着物による影響をできるだけ排除してＡＲ値を適切に検出することができるプリピットを有する光記録媒体のＡＲ測定装置を提供することである。
【００１０】
【課題を解決するための手段】
本発明のＡＲ測定装置は、情報データを担う情報ピットが形成されるべき情報記録トラックと、情報記録トラックに関連する情報を担うプリピットが情報記録トラック間に繰り返し形成された記録面を有する光記録媒体のＡＲ測定装置であって、トラックの接線方向に沿う方向の分割線によって第１及び第２受光面として分割された受光面を有し、記録面に照射された光ビームの反射光を第１及び第２受光面で受光して第１及び第２受光面各々の受光量に応じた第１及び第２光検出信号を出力する光検出手段と、光検出手段から出力された第１及び第２光検出信号の差を算出してプッシュプル信号を生成する減算手段と、プッシュプル信号を所定期間に亘ってサンプリングしてサンプルデータを収集し、所定期間のサンプリングを複数回数繰り返す収集手段と、収集手段によって収集された複数回数分のサンプルデータのうちのプリピット位置時点のデータ値各々が所定回数以上生じたか否かを判別する頻度判別手段と、所定回数以上生じたプリピット位置時点のデータ値のうちのプリピットに対応した最小値と最大値との比をＡＲの値として算出するＡＲ算出手段と、を備えたことを特徴としている。
【００１１】
本発明のＡＲ測定方法は、情報データを担う情報ピットが形成されるべき情報記録トラックと、情報記録トラックに関連する情報を担うプリピットが情報記録トラック間に繰り返し形成された記録面を有する光記録媒体のＡＲ測定方法であって、トラックの接線方向に沿う方向の分割線によって第１及び第２受光面として分割された受光面を有し、記録面に照射された光ビームの反射光を第１及び第２受光面で受光して第１及び第２受光面各々の受光量に応じた第１及び第２光検出信号を出力するステップと、第１及び第２光検出信号の差を算出してプッシュプル信号を生成するステップと、プッシュプル信号を所定期間に亘ってサンプリングしてサンプルデータを収集し、所定期間のサンプリングを複数回数を繰り返すステップと、複数回数分のサンプルデータのうちのプリピット位置時点のデータ値各々が所定回数以上生じたか否かを判別するステップと、所定回数以上生じたプリピット位置時点のデータ値のうちのプリピットに対応した最小値と最大値との比をＡＲの値として算出するステップと、を備えたことを特徴としている。
【００１２】
また、本発明のプログラムは、情報データを担う情報ピットが形成されるべき情報記録トラックと、情報記録トラックに関連する情報を担うプリピットが情報記録トラック間に繰り返し形成された記録面を有する光記録媒体からプリピットを検出するために、記録面に照射された光ビームの反射光をトラックの接線方向に沿う方向の分割線によって分割された第１及び第２受光面で受光して第１及び第２受光面各々の受光量に応じた第１及び第２光検出信号を出力し、第１及び第２光検出信号の差を算出してプッシュプル信号を生成し、プッシュプル信号に基づいてＡＲの値を算出するＡＲ測定方法を実行するコンピュータ読取可能なプログラムであって、プッシュプル信号を所定期間に亘ってサンプリングしてサンプルデータを収集し、所定期間のサンプリングを複数回数を繰り返すステップと、複数回数分のサンプルデータのうちのプリピット位置時点のデータ値各々が所定回数以上生じたか否かを判別するステップと、所定回数以上生じたプリピット位置時点のデータ値のうちのプリピットに対応した最小値と最大値との比をＡＲの値として算出するステップと、を有することを特徴としている。
【００１３】
【発明の実施の形態】
以下、本発明の実施例を図面を参照しつつ詳細に説明する。
図６は本発明によるＡＲ測定装置を示している。このＡＲ測定装置において、検査対象の光ディスク１に対して情報を書き込み及び読み出しを行うことができる記録再生ヘッド２が備えられている。記録再生ヘッド２には、図２に示した如き記録面を有する追記又は書換可能な光ディスク１に対して情報データの記録を行う記録ビーム光発生装置（図示せず）、光ディスク１から記録情報(情報データを含む)の読み取りを行う読取ビーム光発生装置(図示せず）及び４分割光検出器（図７の符号２０）が搭載されている。
【００１４】
記録ビーム光発生装置と読取ビーム光発生装置とは個別に設ける必要はなく、記録時には記録用光ビームを発生し、読取時には読取用光ビームを発生する１つの光ビーム発生装置であっても良い。
読取ビーム光発生装置は、スピンドルモータ９によって回転駆動される光ディスク１に読取ビーム光を照射し、その記録面上に情報読取スポットを形成させる。４分割光検出器２０は、図７に示すように、光ディスク１の情報記録トラック（グルーブトラック１０３）の接線に沿った方向と、記録トラックの接線に直交する方向とによって４分割された受光面２０ａ〜２０ｄを有する光電変換素子からなる。その光電変換素子は、情報読取スポットによる光ディスク１からの反射光を４つの受光面２０ａ〜２０ｄ各々によって受光し、夫々を個別に電気信号に変換したものを受光信号Ｒａ〜Ｒｄとして出力する。
【００１５】
サーボ制御装置４は、これら受光信号Ｒａ〜Ｒｄに基づいてフォーカスエラー信号、トラッキングエラー信号及びスライダ駆動信号を各々生成する。フォーカスエラー信号は、記録再生ヘッド２に搭載されているフォーカシングアクチュエータ（図示せず）に供給される。フォーカシングアクチュエータは、フォーカスエラー信号に基づいて情報読取スポットの焦点を調整する。トラッキングエラー信号は、記録再生ヘッド２に搭載されているトラッキングアクチュエータ（図示せず）に供給される。トラッキングアクチュエータは、トラッキングエラー信号に基づいて情報読取スポットの形成位置をディスク半径方向にて調整する。スライダ駆動信号はスライダ１０に供給される。スライダ１０はスライダ駆動信号に応じた速度で記録再生ヘッド２をディスク半径方向に移送させる。
【００１６】
また、上記受光信号Ｒａ〜Ｒｄは加算器２１〜２３及び減算器２４を有するヘッドアンプ２５に供給される。加算器２１は受光信号Ｒａ，Ｒｄを加算し、加算器２２は受光信号Ｒｂ，Ｒｃを加算する。すなわち、加算器２１は４分割光検出器２０の受光面２０ａ及び２０ｄによって各々受光されて得られた受光信号Ｒａ及びＲｄ同士を加算して加算受光信号Ｒa+dを出力する。また、加算器２２は４分割光検出器２０の受光面２０ｂ及び２０ｃ各々によって受光されて得られた受光信号Ｒｂ及びＲｃ同士を加算して加算受光信号Ｒb+cを出力する。
【００１７】
加算器２３は加算器２１，２２の各出力信号Ｒa+d，Ｒb+cを加算する。加算器２３の出力信号は読取信号、すなわちＲＦ信号であり、情報データ再生回路３０に供給される。情報データ再生回路３０は、その読取信号を２値化した後、復調処理、誤り訂正処理、及び各種情報復号処理を順次実施することにより、光ディスク１に記録されていた情報データ（映像データ、音声データ、コンピュータデータ）の再生を行い、これを出力する。
【００１８】
減算器２４は加算器２１の出力信号Ｒa+dから加算器２２の出力信号Ｒb+cを減算する。減算器２４の出力信号は上記のグルーブトラック１０３のウォブリングによる周波数を示す信号となり、スピンドルモータ９のスピンドルサーボ装置２６に供給される。スピンドルサーボ装置２６は減算器２４の出力信号から得られる周波数が予め定められた回転速度に対応した周波数になるようにスピンドルモータ９を回転駆動する。スピンドルサーボ装置２６の構成については特開平１０−２８３６３８号公報に既に開示されているので、ここでの説明は省略する。
【００１９】
プリピット検出回路５は、加算器２１，２２の各出力信号に基づいて、図２に示した如き、光ディスク１のランドトラック(プリピットトラック)１０２上に形成されているランドプリピット(ＬＰＰ)１０４を検出してプリピット検出信号ＰＰDを記録処理回路７に供給する。
記録処理回路７は、プリピット検出信号ＰＰDに基づいて、現時点において記録再生ヘッド２が記録を行っている位置、すなわち、グルーブトラック１０３上の位置を認識し、この記録位置から所望の記録位置へと記録再生ヘッド２をトラックジャンプせしめるべき制御信号をサーボ制御装置４に供給する。更に、記録処理回路７は、記録すべき情報データ（検査用の情報データ）に対して所望の記録変調処理を施して記録変調データ信号を生成し、これを上記記録再生ヘッド２に供給する。記録再生ヘッド２に搭載されている記録ビーム光発生装置は、かかる記録変調データ信号に応じた記録ビーム光を発生し、これを光ディスク１上のグルーブトラック１０３上に照射する。この際、かかる記録ビームが照射されたグルーブトラック１０３上の領域に熱が伝わりその領域に、情報ピットが形成されて行く。
【００２０】
記録処理回路７の構成についても特開平１０−２８３６３８号公報に既に開示されているので、ここでのこれ以上の説明は省略する。
プリピット検出回路５は、図７に示すように、加算器２１の出力信号Ｒa+dを増幅する増幅器３１と、加算器２２の出力信号Ｒb+cを増幅する増幅器３２と、増幅器３１の出力信号から増幅器３２の出力信号を減算してラジアルプッシュプル信号（グルーブウォブル信号）ＰＰとして出力する減算器３３と、減算器３３の出力プッシュプル信号ＰＰを閾値ＴＨにて２値化して上記のプリピット検出信号ＰＰDを生成する２値化回路３４とからなる。増幅器３１の利得Ｇ１と増幅器３２の利得Ｇ２とは、Ｇ１＝Ｇ２に設定される。
【００２１】
減算器３３から出力されるプッシュプル信号ＰＰはオシロスコープ６１に供給される。オシロスコープ６１はプッシュプル信号ＰＰをサンプリングして例えば、プッシュプル信号ＰＰ中のＬＰＰに対応した部分を表示するものである。
オシロスコープ６１にはパーソナルコンピュータ（パソコン）６２が接続されている。パソコン６２はオシロスコープ６１の内部メモリ（例えば、後述のサンプルメモリ９３）に記憶されたプッシュプル信号ＰＰのレベルデータを用いて閾値ＴＨを算出する。パソコン６２の具体的な構成は示さないが、ＣＰＵ６５及び内部メモリ６６を含んでいる。パソコン６２の出力ポートにはＤ／Ａ変換器６３が接続されている。Ｄ／Ａ変換器６３はパソコン６２によって算出されたスライスレベルをアナログ信号に変換する。Ｄ／Ａ変換器６３の出力信号は上記の２値化回路３４に２値化のための閾値信号として供給される。
【００２２】
パソコン６２とオシロスコープ６１及びＤ／Ａ変換器６３との間の接続は例えば、ＧＰＩＢ、１０ＢＡＳＥ−Ｔ、或いはＲＳ−２３２Ｃ等のインターフェース規格に基づいている。
２値化回路３４から出力された信号（プリピット検出信号ＰＰD）は図示しないエラーレート検出回路に供給され、そこでその供給された信号に応じたエラーレートが検出される。
【００２３】
オシロスコープ６１は例えば、図８に示す構成を有することができる。すなわち、オシロスコープ６１は、Ａ／Ｄ変換器９１と、制御回路９２と、サンプルメモリ９３と、表示メモリ９４と、Ｘ及びＹドライバ９５，９６と、表示パネル９７と、操作部９８と、インターフェース９９とを備えている。Ａ／Ｄ変換器９１は入力アナログ信号をディジタル信号に変換する。制御回路９２はＡ／Ｄ変換器９１によって得られたディジタル信号のサンプルデータをサンプルメモリ９３に順次書き込むと共にサンプルメモリ９３から表示すべきデータを読み出して表示メモリ９４に書き込んで展開する。Ｘ及びＹドライバ９５，９６は表示メモリ９４に書き込まれたデータに応じて表示パネル９７を駆動して表示パネル９７に入力アナログ信号の波形を表示させる。インターフェース９９は上記のパソコン６２と接続するための例えば、ＧＰＩＢ、１０ＢＡＳＥ−Ｔ、或いはＲＳ−２３２Ｃ等のインターフェース規格に基づいた回路であり、サンプルメモリ９３に書き込まれたデータを制御回路９２を介してパソコン６２に転送する。また、インターフェース９９はパソコン６２からの指令を制御回路９２に中継供給する。
【００２４】
製造された光ディスクをかかるＡＲ測定装置を用いて検査する場合には、図９に示すような順序で行われる。すなわち、先ず、単一のロットから無作為に検査用ディスクが選択される（ステップＳ１）。検査ディスクに対して検査用情報データが記録される（ステップＳ２）。記録された検査ディスクからの記録再生ヘッド２による読み出しによって上記した如くプッシュプル信号ＰＰが生成されてＡＲの測定が行われる（ステップＳ３）。測定されたＡＲ値が規定値以上であるか否かが判別され（ステップＳ４）、ＡＲ値が規定値以上ならば、そのロットの全ての光ディスクはＬＰＰについて検査合格となる（ステップＳ５）。ＡＲ値が規定値に満たないならば、そのロットの全ての光ディスクは検査不合格となる（ステップＳ６）。
【００２５】
ステップＳ３のＡＲの測定では、減算器３３から出力されたプッシュプル信号ＰＰはオシロスコープ６１に供給され、オシロスコープ６１ではプッシュプル信号ＰＰがＡ／Ｄ変換器９１によって高周波数のクロックに応じてサンプリングされ、制御回路９２がそのサンプリングデータをメモリ９３に順次記憶させる。制御回路９２はＡ／Ｄ変換器９１から供給されるサンプリングデータのうちの所定値以上の負のピーク値を検出する。そのピーク値を検出すると、それをトリガとして所定期間に亘ってサンプリングデータがメモリ９３に記憶される。このピーク値は図４における同期パルスＰSYNCに対応する。このメモリ９３への所定期間に亘る書き込みがｎ回繰り返される。制御回路９２はメモリ９３に記憶させたデータを読み出して表示メモリ９４に供給して表示パネル９７に波形表示させる。その読み出しタイミングは例えば、操作部９８からの指令に応じて設定され、これにより検査対象の３番目のＬＰＰ成分を含むプッシュプル信号ＰＰの重複波形、すなわちＡＲ波形が表示される。この表示においては時間軸が調整されてプッシュプル信号ＰＰのピーク値位置が表示中心線（時間軸中心線）になるようにされる。サンプリングデータが取り得る値は０〜Ｍであり、Ａ／Ｄ変換器９１の分解能に依存する。
【００２６】
パソコン６２は、オシロスコープ６１の制御回路９２にインターフェース９９介して指令することによりサンプルメモリ９３に記憶されたサンプルデータを読み出して取り込むことができる。
パソコン６２のＣＰＵ６５は、図１０〜図１２に示した如きＡＲ算出動作によってＡＲ値を算出する。
【００２７】
ＡＲ算出動作においては、ＣＰＵ６５は先ず、ＡＲ波形測定回数Ｎ及びデータ取り込み回数ｎを設定する（ステップＳ１１）。これらの回数Ｎ及びｎはユーザのキーボード（図示せず）からの操作入力に応じて設定しても良いし、予め設定しておいても良い。
パソコン６２においては、内部メモリ６６に形成したＭ＋１（Ｍは正の整数）個のデータ列Ｙ［０］〜Ｙ［Ｍ］を全て０に初期化し（ステップＳ１２）、変数ｊを０に設定する（ステップＳ１３）。更に、内部メモリ６６に形成したＭ＋１個のデータ列Ｘ［０］〜Ｘ［Ｍ］を全て０に初期化し（ステップＳ１４）、変数ｉを０に設定する（ステップＳ１５）。変数ｊは現在のＡＲ波形測定回数であり、変数ｉは現在のデータ取り込み回数である。
【００２８】
ＣＰＵ６５は、オシロスコープ６１の表示中心線上に位置するサンプリングデータをサンプルメモリ９３からデータＤとして読み取り（ステップＳ１６）、データＤの値をデータ列番号とするデータＸ［Ｄ］を１として記憶する（ステップＳ１７）。そして、変数ｉに１を加算し（ステップＳ１８）、変数ｉがデータ取り込み回数ｎに達したか否かを判別する（ステップＳ１９）。ｉ＜ｎならば、ステップＳ１６に戻って残りの表示中心線上に位置するサンプリングデータをデータＤとして読み取る。
【００２９】
ｉ＝ｎならば、ｎ個のデータを読み取ったので、データ列Ｘ［０］〜Ｘ［Ｍ］の各値を対応するデータ列Ｙ［０］〜Ｙ［Ｍ］に加算する（ステップＳ２０）。すなわち、Ｙ［０］←Ｙ［０］＋Ｘ［０］，Ｙ［１］←Ｙ［１］＋Ｘ［１］，………，Ｙ［Ｍ−１］←Ｙ［Ｍ−１］＋Ｘ［Ｍ−１］，Ｙ［Ｍ］←Ｙ［Ｍ］＋Ｘ［Ｍ］を行う。変数Ｊに１を加算し（ステップＳ２１）、変数ｊがＡＲ測定回数Ｎに達したか否かを判別する（ステップＳ２２）。ｊ＜Ｎならば、ステップＳ１４に戻って上記のステップＳ１４〜Ｓ２１のＡＲ波形測定動作を繰り返す。この繰り返しでは検査ディスクの異なるトラックからの読み出しが行われる。
【００３０】
ｊ＝Ｎならば、図１１に示すように、データ列Ｙ［０］〜Ｙ［Ｍ］の各データ値の平均値を算出する（ステップＳ２３）。すなわち、Ｙ［０］←Ｙ［０］／Ｎ，Ｙ［１］←Ｙ［１］／Ｎ，………，Ｙ［Ｍ−１］←Ｙ［Ｍ−１］／Ｎ，Ｙ［Ｍ］←Ｙ［Ｍ］／Ｎを行う。平均値となったデータ列Ｙ［０］〜Ｙ［Ｍ］の各データ値の小数点以下を四捨五入する（ステップＳ２４）。このようにデータ列Ｙ［０］〜Ｙ［Ｍ］の各データ値の平均値をとり、更にその平均値を四捨五入することにより、ノイズ等の偶然性の強いデータが排除される。
【００３１】
パソコン６２のＣＰＵ６５は、ステップＳ２４の実行後、内部メモリ６６に形成したＭ＋１個のデータ列Ｚ［０］〜Ｚ［Ｍ］を全て０に初期化し（ステップＳ２５）、更に、変数ｆ，ｇを共に０に設定する（ステップＳ２６）。データ列Ｚ［０］〜Ｚ［Ｍ］はデータ列Ｙ［０］〜Ｙ［Ｍ］に対応している。ＣＰＵ６５は、データＹ［ｆ］を内部メモリ６６から読み出し（ステップＳ２７）、変数ｇが偶数か否かを判別する（ステップＳ２８）。変数ｇが偶数であるならば、データＹ［ｆ］が１であるか否かを判別する（ステップＳ２９）。変数ｇが奇数であるならば、データＹ［ｆ］が０であるか否かを判別する（ステップＳ３０）。ステップＳ２９でＹ［ｆ］＝１と判別した場合、又はステップＳ３０でＹ［ｆ］＝０と判別した場合には、データＺ［ｇ］をｆに等しくさせる（ステップＳ３１）。そして、変数ｇに１を加算し（ステップＳ３２）、更に、変数ｆに１を加算する（ステップＳ３３）。変数ｆが固定値Ｍに達したか否かを判別する（ステップＳ３４）。ｆ＜Ｍならば、ステップＳ２７に戻って次のデータＹ［ｆ］を内部メモリ６６から読み出す。
【００３２】
ステップＳ２９でＹ［ｆ］＝０と判別した場合、又はステップＳ３０でＹ［ｆ］＝１と判別した場合には、直ちにステップＳ３３に移行する。ステップＳ２５〜Ｓ３４までの動作により、データＺ［ｇ］にはデータＹ［ｆ］が０から１に変化したとき及び１から０に変化したときのｆの値が順に書き込まれる。
ステップＳ３４においてｆ＝Ｍならば、図１２に示すように、変数ｇから１を差し引いた値をＫとする（ステップＳ３５）。Ｋの値はステップＳ３１でデータＺ［ｇ］に最後に値が設定されたときのｇの値である。
【００３３】
次に、ＣＰＵ６５は、変数Ｌを０に設定し、更に変数ｇを１に設定する（ステップＳ３６）。Ｚ［ｇ＋１］−Ｚ［ｇ］が変数Ｌよりも大であるか否かを判別する（ステップＳ３７）。Ｚ［ｇ＋１］−Ｚ［ｇ］はＺ［偶数］−Ｚ［奇数］であり、０が連続する領域の長さを示す。Ｚ［ｇ＋１］−Ｚ［ｇ］＞Ｌならば、変数ＬをＺ［ｇ＋１］−Ｚ［ｇ］として設定し、ウォブリンググルーブ成分の最大値ＷＯmaxをＺ［ｇ］とし、ＬＰＰ成分の最小値ＬＰminをＺ［ｇ＋１］とする（ステップＳ３８）。そして、変数ｇに２を加算し（ステップＳ３９）、変数ｇがＫに達したか否かを判別する（ステップＳ４０）。ｇ＜Ｋならば、ステップＳ３７に戻ってステップＳ３９による新たなＺ［偶数］及びＺ［奇数］によってＺ［ｇ＋１］−Ｚ［ｇ］＞Ｌであるか否かを判別する。
【００３４】
ステップＳ３７においてＺ［ｇ＋１］−Ｚ［ｇ］≦Ｌならば、ステップＳ３９に直ちに移行する。
ステップＳ４０においてｇ＝Ｋならば、ＬＰＰ成分の最大値ＬＰmaxをＺ［ｇ］とする（ステップＳ４１）。ＡＰminをＬＰmin−ＷＯmaxによって算出し、更にＡＰmaxをＬＰmax−ＷＯmaxによって算出する（ステップＳ４２）。そして、ＡＲ値をＡＰmin／ＡＰmaxから算出する（ステップＳ４３）。ＣＰＵ６５はステップＳ４３で算出したＡＲ値をディスプレイ（図示せず）に表示する。更に、上記したステップＳ４の結果として、そのＡＲ値が規定値以上であるか否かを表示しても良い。
【００３５】
図１３(a)はオシロスコープ６１の表示パネル９７に表示されたＡＲ波形を示している。この図１３において表示パネル９７中に符号Ａで示したラインが表示中心線である。表示中心線Ａ上に位置するデータ各々の頻度をヒストグラム表示すると、図１３(b)の如くなる。ヒストグラム表示において符号ＷＧがウォブリンググルーブ成分に対応し、符号ＬＰがＬＰＰ成分に対応する。それ以外の頻度についてはウォブリンググルーブ部分或いはＬＰＰによって偶然生じた孤立データであったり、更にはノイズの可能性もある。これらのヒストグラム表示された部分は頻度の程度に関係なく内部メモリ６６には図１３(c)の如くＸ［Ｄ］＝１として記憶され、それ以外のは初期値のまま０として記憶される。
【００３６】
ＡＲ波形測定をＮ回繰り返すので、Ｎ＝３とした場合には図１４(a)に示すように、１回目の測定結果Ｘ［０］〜Ｘ［Ｍ］、２回目の測定結果Ｘ［０］〜Ｘ［Ｍ］、３回目の測定結果Ｘ［０］〜Ｘ［Ｍ］が得られる。ステップＳ２３ではそれらの平均を取り、更にステップＳ２４ではその平均値の小数点以下を四捨五入するので、図１４(b)に示すように１〜３回目の測定結果の共通部分だけが残ったデータ列Ｙ［０］〜Ｙ［Ｍ］となる。この四捨五入の動作によってノイズ等の偶発性の孤立データは除去される。この図１４(b)の例の場合には、プッシュプル信号ＰＰのウォブリンググルーブ成分の変動幅及びプッシュプル信号のＬＰＰ成分の変動幅から離れた値を有する孤立データが含まれている。ウォブリンググルーブ成分の最大値ＷＯmaxとこの孤立データ値との間の領域が０が連続する領域の長さが最大となるので、孤立データ値がＬＰＰ成分の変動幅の最小値ＬＰminとなる。よって、ＡＰminがＬＰmin−ＷＯmaxによって算出され、更にＡＰmaxがＬＰmax−ＷＯmaxによって算出される。ＡＲ値はＡＰmin／ＡＰmaxから算出される。
【００３７】
なお、上記した実施例においては、オシロスコープを用いているが、本発明はオシロスコープを用いることに限定されない。プッシュプル信号ＰＰを高周波数でサンプリングしてサンプルデータを記憶するメモリを備える構成を有するものを備えれば良く、特に、ＡＲ波形の表示をする必要はない。
また、上記した実施例においては、ステップＳ２４で四捨五入を行っているが、複数回数分のサンプルデータのうちのプリピット位置時点のデータ値各々が所定回数以上（好ましくは、上記の複数回数の半分以上の回数）生じたことを検出する方法ならば、これに限定されない。
【００３８】
【発明の効果】
以上の如く、本発明によれば、ディスクに付着したゴミ又は傷によるイレギュラーな影響をできるだけ排除して検査対象であるディスクのＡＲ値のを正確に算出することができるので、規格検査の精度が向上し、良好なディスクを誤って検査不合格にするといった不具合を回避させることができる。
【図面の簡単な説明】
【図１】ＤＶＤ−ＲＷの各領域の配置構造を示す図である。
【図２】ＤＶＤ−ＲＷの記録面の構造を示す図である。
【図３】ＬＰＰ成分を含むラジアルプッシュプル信号の波形を示す図である。
【図４】プリピット検出信号の波形を示す図である。
【図５】ＡＲ波形を示す図である。
【図６】本発明によるＡＲ測定装置を示すブロック図である。
【図７】図６の装置中のヘッドアンプ及びプリピット検出回路の構成を示すブロック図である。
【図８】図６の装置中のオシロスコープの概略構成を示すブロック図である。
【図９】光ディスクの検査手順を示すフローチャートである。
【図１０】図７の装置中のＣＰＵによるＡＲ算出動作を示すフローチャートである。
【図１１】図１０のＡＲ算出動作の続き部分を示すフローチャートである。
【図１２】図１１のＡＲ算出動作の続き部分を示すフローチャートである。
【図１３】ＡＲ算出動作におけるデータ列のデータ値設定動作を示す図である。
【図１４】ＡＲ算出動作における平均及び四捨五入動作を示す図である。
【符号の説明】
１  光ディスク
２  記録再生ヘッド
５  プリピット検出回路
１０  スライダ
２０  ４分割光検出器
６１  オシロスコープ
【図１】
0004083993.tif 000002
【図２】
0004083993.tif 000003
【図３】
0004083993.tif 000004
【図４】
0004083993.tif 000005
【図５】
0004083993.tif 000006
【図６】
0004083993.tif 000007
【図７】
0004083993.tif 000008
【図８】
0004083993.tif 000009
【図９】
0004083993.tif 000010
【図１０】
0004083993.tif 000011
【図１１】
0004083993.tif 000012
【図１２】
0004083993.tif 000013
【図１３】
0004083993.tif 000014
【図１４】
0004083993.tif 000015